(57)【特許請求の範囲】
【請求項１】
ターンテーブル（１）と前記ターンテーブル（１）のエッジに均等に配置された複数のクランプコンポーネント（２）とを有する充填機包装袋受入クランプ装置であって、
前記クランプコンポーネント（２）は、ベース（２ａ）及び前記ベース（２ａ）の上表面にジョイントされたクランプアーム（２ｂ）を有し、
前記クランプアーム（２ｂ）の後端と前記ベース（２ａ）の後部との間には第１スプリング（２ｄ）が当接され、前記クランプアーム（２ｂ）の下部にはブロック（２ｇ）が固着され、前記ターンテーブル（１）の上部には前記ブロック（２ｇ）と合わせた突起（１０）が固着されており、
前記ターンテーブル（１）の底面のエッジ部に近い位置には円周方向に沿ってアーク形ガイドスロット（１ａ）が均等に設置され、前記ベース（２ａ）には留め金（３）がジョイントされており、上記留め金（３）に固着されたダボ（８）は、前記ガイドスロット（１ａ）内まで延びており、
前記ターンテーブル（１）の外側には、シリンダ（６）及び前記シリンダ（６）のピストンロッドにジョイントするダイヤル爪（４）が設置され、前記ダイヤル爪（４）は、前記留め金（３）と合わさって動作する、
ことを特徴とする充填機包装袋受入クランプ装置。
【請求項２】
前記クランプアーム（２ｂ）の後端には、後部がベース（２ａ）の後部とジョイントされたブロック体（２ｅ）を貫通するマンドレル（２ｆ）がジョイントされ、前記第１スプリング（２ｄ）は、マンドレル（２ｆ）にセットし、両端がそれぞれマンドレル（２ｆ）のフロントとブロック体（２ｅ）とに当接している、
ことを特徴とする請求項１に記載の充填機包装袋受入クランプ装置。
【請求項３】
前記ベース（２ａ）と前記ターンテーブル（１）との間に第２スプリング（７）が連結していることを特徴とする請求項２に記載の充填機包装袋受入クランプ装置。
【請求項４】
前記留め金は前記ベースの底側（２ｅ）にジョイントされ、
前記第２スプリング（７）の両端は、それぞれ前記ベース（２ａ）の底側と前記ターンテーブル（１）の底面と連結している、
ことを特徴とする請求項３に記載の充填機包装袋受入クランプ装置。
【請求項５】
前記ガイドスロット（１ａ）の曲率中心と前記ターンテーブル（１）の回転中心が重なることを特徴とする請求項１〜４のいずれかに記載の充填機包装袋受入クランプ装置。
【請求項６】
前記ガイドスロット（１ａ）のエンドが前記ターンテーブル（１）の内側に折曲することを特徴とする請求項５に記載の充填機包装袋受入クランプ装置。
【発明の詳細な説明】
【技術分野】
【０００１】
本発明は製品包装機械に関し、特に充填機包装袋受入クランプ装置に関する。
【背景技術】
【０００２】
現在、市場にある各種のワイドトップ型製袋充填機は、基本的に円型ターンテーブルによる複数ワーキングポジション回転包装の方式を採っている。この方式に求められる基本構造モデルは、円形ターンテーブルの上に複数の受入クランプ装置が均等に配置され、ターンテーブル外側に給袋装置を設置することである。給袋装置が各受入クランプ装置に給袋することにより、製品の包装を実現している。従来の製袋給袋式充填機の受入クランプ装置はターンテーブル上に固着されている。給袋装置のターンテーブル上での各ワーキングポジション給袋を実現するため、ターンテーブルにおいては、ターンテーブルが一時停止するときに給袋装置から受入クランプ装置に給袋するステップ式回転方式を採っている。
【発明の概要】
【発明が解決しようとする課題】
【０００３】
しかしながら、従来のステップ式のターンテーブルが絶えず、起動−停止−起動する過程で大量の有効時間を消費し、設備の作業効率が下がる。さらにターンテーブルが頻繁に起動−停止すると、設備に使う電力も大きくなる。従来のミクロ充填製袋包装の包装機において、包装袋は、手動で充填口から充填機に直接挿入する手動挿入方式を採っており、労働効率が低く、人による汚染の確率が高いという問題点が存在する。
【課題を解決するための手段】
【０００４】
本発明は、かかる点に鑑みてなされたものであり、ターンテーブルの連続運転においてクランプコンポーネントを正確に受け入れることと、給袋装置が供給した包装袋をクランプすることと、を実現する充填機包装袋受入クランプ装置を提供することを目的とする。
【０００５】
上記の目的を実現するために、本発明における実施形態による充填機包装袋受入クランプ装置は、ターンテーブル及び前記ターンテーブルのエッジに均等に配置された複数のクランプコンポーネントを有する充填機包装袋受入クランプ装置であって、前記クランプコンポーネントは、ベース及び前記ベースの上表面にジョイントされたクランプアームを有し、
前記クランプアームの後端と前記ベースの後部との間には第１スプリングが当接され、前記ターンテーブルの下部にはブロックが固着され、前記ターンテーブルの下部には前記ブロックと合わせた突起が固着されており、
前記ターンテーブルの底面のエッジ部に近い位置には円周方向に沿ってアーク形ガイドスロットが均等に設置され、前記ベースには留め金（３）がジョイントされており、上記留め金（３）に固着されたダボが前記ガイドスロット内まで延びており、
前記ターンテーブルの外側にはシリンダ及び前記シリンダのピストンロッドにジョイントするダイヤル爪が設置され、前記ダイヤル爪は前記留め金と合わさって動作する。
【０００６】
好ましくは、前記クランプアームの後端には、後部がベースの後部とジョイントするブロック体を貫通するマンドレルがジョイントされ、前記第１スプリングは、マンドレルにセットし、その両端はそれぞれマンドレルのフロントとブロック体に当接している。
【０００７】
好ましくは、前記ベースと前記ターンテーブルとの間に第２スプリングが連結されている。
【０００８】
好ましくは、前記留め金は前記ベースの底側にジョイントされ、前記第２スプリングの両端はそれぞれ前記ベースの底側と前記ターンテーブルの底面と連結されている。
【０００９】
好ましくは、前記ガイドスロットの曲率中心と前記ターンテーブルの回転中心とが重なる。
【００１０】
好ましくは、前記ガイドスロットのエンドが前記ターンテーブルの内側に折曲する。
【００１１】
好ましくは、前記ターンテーブル外側に前記シリンダが固着されたホルダーを設置し、前記ダイヤル爪は前記ホルダーにジョイントしている。
【発明の効果】
【００１２】
本発明の構造は合理的で、性能の信頼性が高く、ターンテーブルが頻繁に起動−停止−起動することを避け、ターンテーブルが終始安定して均一に動作することが保証でき、設備の生産効率を大幅に高め、さらにクランプコンポーネントが一時停止している際に、位置が確定することからターンテーブルのパワーギャップまたは回転慣性によりもたらされる包装袋転送位置の不確定性が存在せず、給袋装置が包装袋を転送する際に、より正確となる。
【図面の簡単な説明】
【００１３】
【図１】本発明における実施形態に基づく充填機包装袋受入クランプ装置の構造を示す図である。
【図２】図１における充填機包装袋受入クランプ装置の底面図である。
【図３】図１におけるＡ−Ａ方向の断面図である。
【発明を実施するための形態】
【００１４】
以下、図面と実施形態とを組み合わせて、本発明をさらに詳しく説明する。以下の実施形態は本発明の説明のためであるが、本発明の範囲を限定するものではない。
【００１５】
図１に示すように、本発明に係る実施形態は、ターンテーブル（１）と前記ターンテーブル（１）のエッジ上に均等に配置された複数のクランプコンポーネント（２）とを有する充填機包装袋受入クランプ装置を提供する。
【００１６】
図２に示すように、ターンテーブル（１）のエッジ部に近い位置には円周方向に沿って均等に設置した複数のアーク形ガイドスロット（１ａ）がある。ガイドスロット（１ａ）の曲率中心とターンテーブル（１）の回転中心とは重なっており、ガイドスロット（１ａ）のエンド（１ａｌ）はターンテーブル（１）の内側に向かって折曲している。
【００１７】
図３に示すように、クランプコンポーネント（２）は、前記ガイドスロット（１ａ）の中まで挿入するガイドブロック（１１）が嵌入されているベース（２ａ）を有する。
【００１８】
図２に示すように、ベース（２ａ）には、シャフト（９）により留め金（３）がジョイントされ、留め金（３）に固着されたダボ（８）は、ガイドスロット（１ａ）の中まで延びており、ベース（２ａ）とターンテーブル（１）との間には、第２スプリング（７）が連結されている。ガイドスロット（１ａ）は、ターンテーブル（１）の底面に位置しており、留め金（３）は、ベース（２ａ）の底側にジョイントしており、前記第２スプリング（７）の両端は、それぞれベース（２ａ）の底側及びターンテーブル（１）の底面と連結している。
【００１９】
図１及び図３に示すように、ベース（２ａ）の上表面にはクランプアーム（２ｂ）がジョイントしており、当該クランプアーム（２ｂ）の後端とベース（２ａ）の後部との間には第１スプリング（２ｄ）が当接している。当該当接方式において、クランプアーム（２ｂ）の後端はシャフト（２ｃ）によってマンドレル（２ｆ）とジョイントしており、当該マンドレル（２ｆ）の後部はベース（２ａ）の後部にジョイントされたブロック体（２ｅ）を貫通し、前記第１スプリング（２ｄ）はマンドレル（２ｆ）上にセットされており、その両端がそれぞれマンドレル（２ｆ）のフロントとブロック体（２ｅ）とに当接する。
【００２０】
図３に示すように、クランプアーム（２ｂ）の下部にはブロック（２ｇ）が固着されており、ターンテーブル（１）にはブロック（２ｇ）と合わせた突起（１０）が固着されており、突起（１０）は円周方向でブロック（２ｇ）と合わせており、ブロック（２ｇ）の数はクランプコンポーネント（２）の数と対応している。
【００２１】
図１、図２及び図３に示すように、ターンテーブル（１）の外側には留め金（３）に合わさって動作するダイヤル爪（４）を設置しており、ターンテーブル（１）の外側にはホルダー（５）に固着されたシリンダ（６）が設置されており、ダイヤル爪（４）は前記ホルダー（５）にジョイントしており、前記シリンダ（６）のピストンロッド（６ａ）と前記ダイヤル爪（４）とはジョイントしている。
【００２２】
図２及び図３から分かる通り、シリンダ（６）を作動して、ダイヤル爪（４）を留め金（３）から離脱する位置、または留め金（３）を遮断する位置まで移動させることがわかる。ダイヤル爪（４）が留め金（３）を遮断する位置にある場合に、ターンテーブル（１）が回転中にダイヤル爪（４）とクランプコンポーネント（２）における留め金（３）とが当接した後、当該クランプコンポーネント（２）が一時停止状態になるが、ターンテーブル（１）はまだ回転している。この時、給袋装置が当該クランプコンポーネント（２）のベース（２ａ）に給袋する。給袋を完了した後、回転するターンテーブル（１）における突起（１０）とクランプアーム下部のブロック（２ｇ）との衝突の発生に伴って、第１スプリング（２ｄ）の作用で、開いたクランプアーム（２ｂ）が包装袋のヘッドを下方向へ抑制し、包装袋のクランプが完成する。ターンテーブル（１）の継続的な回転に伴い、シリンダ（６）によりダイヤル爪（４）と留め金（３）とを離脱させることができる。また、シリンダ（６）の動きと関係なく、留め金（３）とダイヤル爪（４）が当接している場合、ターンテーブル（１）の継続的な回転に伴い、留め金（３）におけるダボ（８）は、徐々にガイドスロット（１ａ）の曲折されたエンド（1ａｌ）中にスライドし、留め金（３）は、またダイヤル爪（４）からの離脱もできる。留め金（３）とダイヤル爪（４）とを脱離させた後、第２スプリング（７）の作用で、クランプコンポーネント（２）は、元の位置に戻り、且つターンテーブル（１）とともに充填ワーキングポジションまで移動し、充填を行う。このような二種類の離脱方式において、制御信号がシリンダ（６）を制御することによりダイヤル爪（４）の回転を調整し、ダイヤル爪（４）が選択的にクランプコンポーネントを遮断することが実現でき、さらに複数ワーキングポジション給袋を実現することができる。
【００２３】
上記内容は本発明のより好ましい実施形態であり、本技術領域の当業者には本発明の範囲を逸脱しない前提の下では、若干の置換や変化をさせることはできる。これらの置換や変化もまた本発明の保護範囲とみなす。
【産業上の利用可能性】
【００２４】
本発明に係る充填機包装袋受入クランプ装置において、ターンテーブルの回転中、ダイヤル爪とクランプコンポーネント上の留め金が当接した際、当該クランプコンポーネントは一時停止状態になるが、ターンテーブルはまだ回転中である。この時、給袋装置から当該クランプコンポーネントに給袋する。給袋が完了した後、回転しているターンテーブルにおける突起とクランプアーム下部のブロックとの衝突の発生に伴って、開いたクランプアームが包装袋のヘッドを下方向へ抑制し、包装袋のクランプが完成する。ターンテーブルの継続回転に伴い、シリンダを作動して、ダイヤル爪と留め金を離脱させ、当該クランプコンポーネントは包装袋をクランプし、ターンテーブルに伴い充填ワーキングポジションまで移動し、充填を行う。
【００２５】
本発明の構造は合理的で、性能は信頼性が高く、ターンテーブルが頻繁に起動−停止−起動する加工を避け、ターンテーブルが終始安定して均一に動作することが保証でき、設備の生産効率も大幅に高められるようになる。さらにクランプコンポーネントが一時停止している際に、その位置が確定し、ターンテーブルのパワーギャップまたは回転慣性によりもたらされる包装袋転送位置の不確定性が存在せず、これが給袋装置と包装袋を転送する際に、より正確となる。
【図１】
0005199477.tif 000002
【図２】
0005199477.tif 000003
【図３】
0005199477.tif 000004